(57)【要約】      （修正有）【課題】外形を変えずに、抗張力体の周囲に十分な厚さの外被を形成しつつ、光ファイバの収容部の拡大を図り、光ファイバの実装本数を増やした光ケーブルを提供する。【解決手段】複数の光ファイバ３の束ねられた光ファイバユニット１０と、光ファイバユニットを挟むように配置された一対の抗張力体２０と、光ファイバユニットと一対の抗張力体とを被覆するとともに、外周部にノッチ３２の形成された外被３０と、光ファイバユニットと外被との間に介在する介在紐４０であって、周方向の一部が外被に埋設され、周方向の別の部位が光ファイバユニットを収容した収容部３４に露出する介在紐と、を備え、外被には一対のノッチが対向配置されており、介在紐は、それぞれのノッチの直下に配置されており、一対の介在紐の間に、収容部と抗張力体との間に形成された外被が配置されている。【選択図】図１
2018120043.tif 000002
【特許請求の範囲】
【請求項１】
複数の光ファイバの束ねられた光ファイバユニットと、
前記光ファイバユニットを挟むように配置された一対の抗張力体と、
前記光ファイバユニットと前記一対の抗張力体とを被覆するとともに、外周部にノッチの形成された外被と、
前記光ファイバユニットと前記外被との間に介在する介在紐であって、周方向の一部が前記外被に埋設され、前記周方向の別の部位が前記光ファイバユニットを収容した収容部に露出する介在紐と、
を備え、
前記外被には一対の前記ノッチが対向配置されており、
前記介在紐は、それぞれの前記ノッチの直下に配置されており、
一対の前記介在紐の間に、前記収容部と前記抗張力体との間に形成された前記外被が配置されている
ことを特徴とする光ケーブル。
【請求項２】
請求項１に記載の光ケーブルであって、
前記介在紐は、複数本の繊維を撚り合わせたものである、
ことを特徴とする光ケーブル。
【請求項３】
請求項１又は２に記載の光ケーブルであって、
前記ノッチ及び前記介在紐は、それぞれ、前記一対の抗張力体が前記光ファイバユニットを挟む方向に並んで設けられており、
前記介在紐の内縁同士の間隔は、前記ノッチの間隔よりも狭く、
前記介在紐の外縁同士の間隔は、前記ノッチの間隔よりも広い、
ことを特徴とする光ケーブル。
【請求項４】
請求項１〜３の何れかに記載の光ケーブルであって、
前記一対の抗張力体の内縁同士の間隔は、前記ノッチの間隔よりも広い、
ことを特徴とする光ケーブル。
【請求項５】
請求項１〜４の何れかに記載の光ケーブルであって、
前記光ファイバユニットは、複数の前記光ファイバが押え巻きテープに包まれることによって構成されている、
ことを特徴とする光ケーブル。
【請求項６】
請求項５に記載の光ケーブルであって、
前記押え巻きテープは、吸水テープである、
ことを特徴とする光ケーブル。
【請求項７】
請求項５又は６に記載の光ケーブルであって、
前記光ファイバユニットは、間欠連結型光ファイバテープを構成する複数の前記光ファイバが撚られた状態で前記押え巻きテープに包まれることによって構成されている、
ことを特徴とする光ケーブル。
【発明の詳細な説明】
【技術分野】
【０００１】
本発明は、光ケーブルに関する。
【背景技術】
【０００２】
特許文献１には、剥離紙（セパレータ）を備えた矩形断面形状の光ファイバケーブルが記載されている。
【０００３】
特許文献２には、抗張力体と光ファイバ（又は収容部）との間にパイプ状の介在物が配置された光ファイバケーブルが記載されている。
【先行技術文献】
【特許文献】
【０００４】
【特許文献１】特開２０１４−７７８６９号公報
【特許文献２】特開２０１３−３３１７３号公報
【発明の概要】
【発明が解決しようとする課題】
【０００５】
特許文献１に記載の光ファイバケーブルによれば、セパレータを外被に埋設させる必要があるため、セパレータの分だけ光ファイバを収容できるスペース（換言すると、光ファイバの本数）が減ってしまう。光ファイバの収容スパースを大きくすると、ケーブルの外形も大きくなり、既存の分割工具が使用できなくなる（外形に制約がある）。
また、特許文献２のように外被内に介在物を配置すると、抗張力体の周囲に十分な厚さの外被を形成できなくなるおそれがある。若しくは、特許文献２のように介在物を配置しつつ、抗張力体の周囲に十分な厚さの外被を形成した場合には、光ファイバを収容するための収容部が狭くなってしまう。
【０００６】
本発明は、外形を変えずに、抗張力体の周囲に十分な厚さの外被を形成しつつ、光ファイバの収容部の拡大を図り、光ファイバの実装本数を増やすことを目的とする。
【課題を解決するための手段】
【０００７】
上記目的を達成するための主たる発明は、複数の光ファイバの束ねられた光ファイバユニットと、前記光ファイバユニットを挟むように配置された一対の抗張力体と、前記光ファイバユニットと前記一対の抗張力体とを被覆するとともに、外周部にノッチの形成された外被と、前記光ファイバユニットと前記外被との間に介在する介在紐であって、周方向の一部が前記外被に埋設され、前記周方向の別の部位が前記光ファイバユニットを収容した収容部に露出する介在紐と、を備え、前記外被には一対の前記ノッチが対向配置されており、前記介在紐は、それぞれの前記ノッチの直下に配置されており、一対の前記介在紐の間に、前記収容部と前記抗張力体との間に形成された前記外被が配置されていることを特徴とする光ケーブルである。
【０００８】
本発明の他の特徴については、後述する明細書及び図面の記載により明らかにする。
【発明の効果】
【０００９】
本発明によれば、外形を変えずに、抗張力体の周囲に十分な厚さの外被を形成しつつ、光ファイバの収容部の拡大を図ることができ、光ファイバの実装本数を増やすことができる。
【図面の簡単な説明】
【００１０】
【図１】図１Ａ及び図１Ｂは、本実施形態の光ケーブルの断面図である。図１Ａは、支持線付き光ケーブルの断面図であり、図１Ｂは支持線無し光ケーブルの断面図である。
【図２】間欠連結型の光ファイバテープ１の説明図である。
【図３】図３Ａ及び図３Ｂは、分割工具を用いて光ケーブル１００の外被３０を分割する時の様子を示す図である。
【図４】比較例の光ケーブル１００´の構成を示す断面図である。
【図５】実施例の光ケーブル１００の構成を示す断面図である。
【発明を実施するための形態】
【００１１】
後述する明細書及び図面の記載から、少なくとも以下の事項が明らかとなる。
【００１２】
複数の光ファイバの束ねられた光ファイバユニットと、前記光ファイバユニットを挟むように配置された一対の抗張力体と、前記光ファイバユニットと前記一対の抗張力体とを被覆するとともに、外周部にノッチの形成された外被と、前記光ファイバユニットと前記外被との間に介在する介在紐であって、周方向の一部が前記外被に埋設され、前記周方向の別の部位が前記光ファイバユニットを収容した収容部に露出する介在紐と、を備え、前記外被には一対の前記ノッチが対向配置されており、前記介在紐は、それぞれの前記ノッチの直下に配置されており、一対の前記介在紐の間に、前記収容部と前記抗張力体との間に形成された前記外被が配置されていることを特徴とする光ケーブルが明らかとなる。  
このような光ケーブルによれば、同一外形でセパレータを用いる場合と比べて、光ファイバの収容部を大きく形成することができる。また、収容部を狭くすることなく、抗張力体の周囲に十分な厚さの外被を形成できる。よって、外形を変えずに、抗張力体の周囲に十分な厚さの外被を形成しつつ、光ファイバの収容部の拡大を図ることができ、光ファイバの実装本数を増やすことができる。
【００１３】
前記介在紐は、複数本の繊維を撚り合わせたものであることが望ましい。これにより、分割工具の刃が引っ掛からないようにでき、また、紐がほつれないようにできる。
【００１４】
前記ノッチ及び前記介在紐は、それぞれ、前記一対の抗張力体が前記光ファイバユニットを挟む方向に並んで設けられており、前記介在紐の内縁同士の間隔は、前記ノッチの間隔よりも狭く、前記介在紐の外縁同士の間隔は、前記ノッチの間隔よりも広いことが望ましい。これにより、外被を確実に分割することができる。
【００１５】
前記一対の抗張力体の間隔は、前記ノッチの間隔よりも広いことが望ましい。これにより、収容部を広くすることができる。また、分割工具の刃が抗張力体に当たらないので、分割工具を滑らかにスライドさせることができる。
【００１６】
前記光ファイバユニットは、複数の前記光ファイバが押え巻きテープに包まれることによって構成されていることが望ましい。これにより、外被を形成するときに、外被の内部に光ファイバが食い込むことを防止できる。
【００１７】
前記押え巻きテープは、吸水テープであることが望ましい。これにより、ケーブル内に水が浸入しても、ケーブル内の走水を防ぐことができる。
【００１８】
前記光ファイバユニットは、間欠連結型光ファイバテープを構成する複数の前記光ファイバが撚られた状態で押え巻きテープに包まれることによって構成されていることが望ましい。これにより、外被の内部に光ファイバが埋没すること（食い込むこと）を防止できる。
【００１９】
＝＝＝実施形態＝＝＝
＜構成＞
図１Ａ及び図１Ｂは、本実施形態の光ケーブルの断面図である。図１Ａは、支持線付き光ケーブルの断面図であり、図１Ｂは支持線無し光ケーブルの断面図である。
【００２０】
図１Ａに示す光ケーブルは、支持線２００とケーブル本体１００とを備えている。支持線２００は、鋼線などを外被で被覆して構成されている。支持線２００とケーブル本体１００とは首部２００Ａで連結されている。
【００２１】
図１Ａに示す光ケーブルの首部２００Ａにおいて支持線２００とケーブル本体１００とを分岐させると、ケーブル本体の構成は図１Ｂに示す通りになる。
【００２２】
以下の説明では、図１Ａの光ケーブルの支持線２００を除去したもの（ケーブル本体１００）も、最初から図１Ｂの状態の光ケーブル１００も、いずれも単に「光ケーブル（光ファイバケーブル）」と呼び、符号１００を付けることとする。
【００２３】
また、以下の説明では、図に示すように長辺方向、短辺方向、長手方向、を定義する。長辺方向（又は幅方向、左右方向）は、光ケーブル１００の断面の長辺に沿った方向であり、一対の抗張力体２０の並ぶ方向である。短辺方向（又は厚さ方向、上下方向）は、光ケーブル１００の断面の短辺に沿った方向であり、断面において長手方向と直交する方向である。長手方向は、光ケーブル１００の線状の抗張力体２０に沿った方向（断面の法線方向）である。
【００２４】
光ケーブル１００は、光ファイバユニット１０と、抗張力体２０と、外被３０と、介在紐４０と、を備えている。
【００２５】
光ファイバユニット１０は、複数の光ファイバ３の束ねられたユニット（集合体）である。ここでは、光ファイバユニット１０は、複数の光ファイバ３を押え巻きテープ１４で包んだユニットとして構成されている。光ファイバユニット１０は、「光ケーブルのコア」、「光ファイバコア」、「コアユニット」、単に「ユニット」などとも呼ばれることもある。複数の光ファイバ３は、１枚又は複数枚の間欠固定型光ファイバテープを束ねて構成されている。
【００２６】
図２は、間欠連結型の光ファイバテープ１の説明図である。図２の右図は、左図である斜視図のＡ−Ａ又はＢ−Ｂにおける断面図である。
【００２７】
間欠連結型の光ファイバテープ１は、複数の光ファイバ３を並列させて間欠的に連結した光ファイバテープ１である。隣接する２心の光ファイバ３は、連結部５によって連結されている。隣接する２心の光ファイバ３を連結する複数の連結部５は、長手方向に間欠的に配置されている。また、光ファイバテープ１の複数の連結部５は、長手方向及び幅方向に２次元的に間欠的に配置されている。連結部５は、連結剤となる紫外線硬化樹脂を塗布した後に紫外線を照射して硬化することによって形成されている。なお、連結部５を熱可塑性樹脂で構成することも可能である。隣接する２心の光ファイバ間の連結部５以外の領域は、非連結部７（分離部）になっている。非連結部７では、隣接する２心の光ファイバ３同士は拘束されていない。これにより、光ファイバテープ１を丸めて筒状（束状）にしたり、折りたたんだりすることが可能になり、多数の光ファイバ３を高密度に収容することが可能になる。光ファイバテープ１から光ファイバ３を単心分離するとき、作業者は、光ファイバ３の間を引き裂くなどして、連結部５を破壊することになる。
【００２８】
なお、間欠連結型の光ファイバテープ１は、図２に示すものに限られるものではない。例えば、光ファイバテープ１の心数を変更しても良い。また、間欠的に配置されている連結部５の配置を変更してもよい。
【００２９】
本実施形態では、間欠連結型の光ファイバテープ１を構成する複数の光ファイバ３が撚られた状態で押え巻きテープ１４に包まれている。これにより、高密度に光ファイバ４を実装可能である（多心化できる）。また、光ファイバ３をドラムに巻いたとき、伝送損失の悪化を抑制できる。なお、複数の光ファイバ３はＳＺ状に撚られている。
【００３０】
押え巻きテープ１４は、複数の光ファイバ３を包む部材である。光ファイバ３を押え巻きテープ１４で包むことによって、溶融樹脂で外被３０を形成するときに、外被３０の内部に光ファイバ３が埋没すること（食い込むこと）を防止できる。押え巻きテープ１４には、ポリイミドテープ、ポリエステルテープ、ポリプロピレンテープ、ポリエチレンテープ等が使用される。この他、押え巻きテープ１４として不織布を利用することができる。この場合、不織布は、ポリイミド、ポリエステル、ポリプロピレン、ポリエチレン等をテープ状に形成したものが使用される。押え巻きテープ１４は、不織布にポリエステルフィルム等のフィルムを貼り合わせたものでも良い。また、押え巻きテープ１４として不織布に吸水パウダーを付着させた吸水テープを利用することもできる。この場合、ケーブル内に水が浸入しても、ケーブル内の走水を防ぐことが可能となる。
【００３１】
抗張力体２０は、外被３０の収縮に抗い、外被３０の収縮により光ファイバユニット１０（特に光ファイバ３）に印加される歪みや曲げを抑制する部材である。抗張力体２０は、線状の部材であり、外被３０の内部に埋設されている。抗張力体２０の材料としては、ノンメタリック材料やメタリック材料が使用可能である。ノンメタリック材料としては、例えばガラスＦＲＰ（ＧＦＲＰ）、アラミド繊維強化プラスチック（ＫＦＲＰ）、ポリエチレン繊維強化プラスチック（ＦＲＰ）が使用可能である。メタリック材料としては、鋼線などの金属線が使用可能である。
【００３２】
本実施形態の光ケーブル１００は、２本（一対）の抗張力体２０を有する。２本の抗張力体２０は、長辺方向に間隔をあけて配置されている。また、２本の抗張力体２０は、光ファイバユニット１０を長辺方向の両側から挟むように配置されている。２本の抗張力体２０の間隔Ｗ２（抗張力体２０の内縁同士の間隔）は、左右に並ぶノッチ３２の間隔Ｍよりも広い（Ｗ２＞Ｍ）。例えば、本実施形態において間隔Ｍは２．８ｍｍであり、間隔Ｗ２は３ｍｍ以上である。このため、ノッチ３２の直下に抗張力体２０を配置する場合と比べて、収容部３４を広く形成することができる。
【００３３】
外被３０は、光ファイバユニット１０及び抗張力体２０を被覆する部材である。外被３０の外形（断面）は略矩形である。本実施形態では外被３０の材料として、難燃性のポリオレフィン（例えば、難燃性ポリエチレン（ＰＥ））を用いている。ポリエチレンとしては、高密度ポリエチレン、中密度ポリエチレン、低密度ポリエチレン、若しくは直鎖状低密度ポリエチレンなどが使用可能である。また、副材料としてノンハロゲン素材（例えば水酸化マグネシウム、水酸化アルミニウムのような水和金属化合物）が含有されている。本実施形態の光ケーブル１００は外被３０にセパレータが埋設されていないため、さらに難燃性を向上できる。なお、外被３０の材料として、ポリプロピレン（ＰＰ）などのポリオレフィン、ポリ塩化ビニル（ＰＶＣ）、ポリアミド、フッ素樹脂（ＥＴＦＥ、ＰＴＦＥなど）を用いてもよい。
【００３４】
外被３０には、ノッチ３２及び収容部３４が設けられている。
【００３５】
ノッチ３２は、外被３０の分割性を確保するためのものである。分割工具で外被３０のノッチ３２に切り込みを入れることにより、光ケーブル１００が分割されることになる（図３参照）。本実施形態では、外被３０の外周に４つのノッチ３２が形成されている。より具体的には、外被３０の上面及び下面に、それぞれ、一対（２つ）のノッチ３２が長辺方向（左右）に並んで設けられている。また、上下のノッチ３２は長辺方向の同じ位置に設けられている（換言すると、外被３０には一対のノッチ３２が短辺方向に対向配置されている）。
【００３６】
収容部３４は、光ファイバユニット１０を収容する空間であり、外被３０の内部（左右に並ぶ一対のノッチ３２の内側）に形成されている。
【００３７】
介在紐４０は、外被等の引き裂きに用いられる紐（所謂リップコード）と同様の紐であり、例えば、ポリエステル、ポリイミド、アラミドなどの複数本の繊維を撚り合わせたものである。介在紐４０は、収容部３４の４隅（右上隅、左上隅、右下隅、左下隅）において、外被３０と光ファイバユニット１０との間に介在するように設けられている。具体的には、介在紐４０の周方向の約半分（一部に相当）は外被３０に埋設され、残りの約半分（別の部位に相当）は収容部３４側（光ファイバユニット１０側）に露出している。なお、介在紐４０と光ファイバユニット１０（押え巻きテープ１４）との間には外被３０が入り込んでいない。これにより、外被３０を分割した後に光ファイバユニット１０側に外被３０が残らないので、分割の作業が容易になる。
【００３８】
また、各介在紐４０は、それぞれ、外被３０の内部のノッチ３２の直下に配置されている。つまり、ノッチ３２の短辺方向延長上に介在紐４０が配置されている。分割工具によって各ノッチ３２に切り込みを入れると、分割工具の刃が介在紐４０に当たり、外被３０が分割されることになる。本実施形態のように介在紐４０を設けることにより、外被３０の内部にセパレータを設ける場合と比べて、光ファイバ３の収容部３４の拡大を図ることができ、光ファイバ３の実装本数を増やすことができる（後述の実施例参照）。図１Ｂにおいて、左右に並ぶ介在紐４０の内縁同士の間隔Ｗ１１は、左右に並ぶノッチ３２の間隔Ｍよりも狭い（Ｗ１１＜Ｍ）。また、左右に並ぶ介在紐４０の外縁同士の間隔Ｗ１２は、左右に並ぶノッチ３２の間隔Ｍよりも広い（Ｍ＜Ｗ１２）。すなわち、Ｗ１１＜Ｍ＜Ｗ１２である。これにより、左右のノッチ３２に対応した分割工具の刃を、左右の介在紐４０に当てることができ、外被３０を確実に分割することができる。
【００３９】
また、介在紐４０とノッチ３２との間には外被３０が形成されている。光ケーブル１００を分割する際に、分割工具の刃は、介在紐４０とノッチ３２との間の外被３０を切断することになる。
【００４０】
また、短辺方向に並ぶ一対の介在紐４０の間には、収容部３４と抗張力体２０との間に形成された外被３０が配置されている。もし仮に、光ファイバユニット１０（又は収容部３４）と抗張力体２０との間に（長辺方向に並ぶように）介在紐４０を配置すると、抗張力体２０の周囲に十分な厚さの外被３０を形成できなくなるおそれがある。若しくは、抗張力体２０の周囲に十分な厚さの外被３０を形成した場合には、収容部３４が狭くなってしまう。これに対し、本実施形態では、短辺方向の一対のノッチの直下にそれぞれ介在紐４０を配置し、その一対の介在紐４０の間に外被３０を配置しているので、収容部３４を狭くすることなく、抗張力体２０の周囲に十分な厚さの外被３０を形成することができる。
【００４１】
なお、介在紐４０の設置方法は、通常のリップコードを設ける場合と同様である。
【００４２】
＜分割時の様子＞
図３Ａ及び図３Ｂは、分割工具を用いて光ケーブル１００の外被３０を分割する時の様子を示す図である。なお、分割工具（不図示）は、４つの刃を有しており、当該４つの刃は、それぞれ、外被３０に形成された４つのノッチ３２とそれぞれ対応している。より具体的には、分割工具は、外被３０の上側の一対のノッチ３２に対応する２つの刃が設けられた上側レバーと、外被３０の下側の一対のノッチ３２に対応する２つの刃が設けられた下側レバーを備えている。
【００４３】
図３Ａに示すように、上下のノッチ３２に分割工具の刃を合わせて、分割工具（上側レバー及び下側レバー）を上下方向の内側に押さえつける。図１ＢにおいてＷ１１＜Ｍ＜Ｗ１２であるので、分割工具の刃は介在紐４０の直上の外被３０（ノッチ３２と介在紐４０の間の外被３０）を切断する。そして、分割工具の刃が、介在紐４０に到達すると、図３Ｂに示すように、外被３０が分割される。また、分割工具を押さえつけたまま長手方向にスライドさせることによって、光ケーブル１００の外被３０は順次分割されることになる。介在紐４０は複数本の繊維を撚り合わせて形成されているので、分割工具をスライドさせる際に分割工具の刃が引っ掛からず、また、紐がほつれない。
【００４４】
なお、介在紐４０をリップコードとして利用してもよい。この場合、分割工具により分割されたノッチ３２の裂け目から介在紐４０を取り出して引っ張ることによって、外被３０を引き裂くことになる。本実施形態では、ノッチ３２の直下に介在紐４０が配置されているため、ノッチ３２直下の外被３０の薄い部位を引き裂くことになり、外被３０を介在紐４０で引き裂きやすいという利点がある。また、介在紐４０として吸水パウダーを付着させた吸水ヤーンを使用しても良い。この場合、ケーブル内に水が浸入しても走水を防ぐことができる。
【００４５】
以上、説明したように、本実施形態の光ケーブル１００は、複数の光ファイバ３の束ねられた光ファイバユニット１０と、光ファイバユニット１０を挟むように配置された一対の抗張力体２０と、光ファイバユニット１０と一対の抗張力体２０とを被覆するとともに、外周部にノッチ３２の形成された外被３０と、光ファイバユニット１０と外被３０との間に介在する介在紐４０を備えている。外被３０には一対のノッチ３２が対向配置されており、介在紐４０は、それぞれのノッチ３２の直下において、周方向の一部が外被３０に埋設され、周方向の別の部位が光ファイバユニット１０を収容した収容部３４に露出して設けられている。また、一対の介在紐４０の間に、収容部３４と抗張力体２０との間に形成された外被３０が配置されている。これにより、抗張力体２０の周囲に十分な厚さの外被３０を形成しつつ、光ファイバ３の収容部３４の拡大を図ることができ、光ファイバ３の実装本数を増やすことができる。
【００４６】
＝＝＝実施例＝＝＝
前述の実施形態の光ケーブル１００（実施例）を製造し、従来の構造（比較例）との比較を行った。なお、以下の図では押え巻きテープ１４の図示を省略している。
【００４７】
図４は、比較例の光ケーブル１００´の構成を示す断面図である。この比較例では、セパレータ５０が設けられている。セパレータ５０は、外被３０を短辺方向に分離する部材である。また、セパレータ５０は、光ファイバユニット１０（光ファイバ３）が外被３０に覆われることを防ぎ、光ファイバ３の取り出しを容易にする部材でもある。セパレータ５０は、テープ状（扁平状・帯状）の部材であり、その長手方向が光ファイバ３の長手方向に沿うように、光ファイバケーブル１００´の内部に埋設されている。セパレータ５０は、短辺方向（上下方向）から光ファイバユニット１０を挟むように一対設けられている。セパレータ５０は、外被３０及び光ファイバユニット１０に対して融着も接着もされておらず、外被３０から容易に剥離することができる。また、ノッチ３２の直下にはセパレータ５０が配置されている。このため、分割工具によってノッチ３２に切り込みを入れると、分割工具の刃がセパレータ５０に当たり、外被３０が分割されることになる。比較例におけるセパレータ５０の断面寸法（短辺×長辺）は、０．１ｍｍ×３．２ｍｍであり、光ケーブル１００´の外形寸法は、３．３ｍｍ×５．５ｍｍである。また、ノッチ３２の間隔Ｍは２．８ｍｍであり、分割工具の刃の間隔に対応している。この比較例の場合、光ファイバ３の実装本数は２４本である。
【００４８】
図５は、実施例の光ケーブル１００の構成を示す断面図である。また、比較例と実施例との比較結果を表１に示す。
【００４９】
【表１】
2018120043.tif 000003
【００５０】
表１に示す通り、実施例の光ケーブル１００の外形寸法は３．３ｍｍ×５．５ｍｍであり、比較例の光ケーブル１００´と同じである。また、ノッチ３２の間隔Ｍも２．８ｍｍで比較例と同じであり、既存の分割工具を用いることができる。また、介在紐４０の径（直径）は、０．７〜０．８ｍｍである。この実施例では、セパレータ５０を設けていないので、収容部３４のスペース（収容面積）を拡大することができ、比較例よりも１６本多い４０本の光ファイバ３を実装することができた。このように、外形を変えずに、多心化が可能であることが確認できた。
【００５１】
また、分割工具を用いて、実施例の外被３０（ノッチ３２と介在紐４０との間の外被３０）を３００ｍｍに渡って切り裂き、光ファイバ３を容易に取り出せることが確認できた。
＝＝＝その他＝＝＝
【００５２】
上記の実施形態は、本発明の理解を容易にするためのものであり、本発明を限定して解釈するためのものではない。本発明は、その趣旨を逸脱することなく、変更・改良され得ると共に、本発明には、その等価物が含まれることは言うまでもない。
【００５３】
前述の実施形態では介在紐４０は、収容部３４の４隅に（合計４本）設けられているが、これには限られず、少なくとも２本あればよい。例えば、収容部３４の左側（左上隅及び左下隅）のみに介在紐４０を設けてもよい。この場合においても、ノッチ３２に切り込みを入れることにより、容易に外被３０を分割でき光ファイバ３を取り出すことができる。なお、この場合、介在紐４０の埋設されている部位をわかりやすくするため、外被３０に目印を付けておくことが望ましい。
【符号の説明】
【００５４】
１  光ファイバテープ、３  光ファイバ、
５  連結部、７  非連結部、
１０  光ファイバユニット、１４  押え巻きテープ、
２０  抗張力体、３０  外被、３２  ノッチ、
３４  収容部、４０  介在紐、
１００  光ケーブル、２００  支持線、
２００Ａ  首部
【図１】
2018120043.tif 000004
【図２】
2018120043.tif 000005
【図３】
2018120043.tif 000006
【図４】
2018120043.tif 000007
【図５】
2018120043.tif 000008